(57)【要約】  本発明は、側壁及び底面を備えた引き出しに関し、改良された引き出し照明装置及びそのための集電器を有して、簡易化された取り付け及び保守を提供する。引き出しは、引き出しの側壁に取り付けられた所定長さのＬＥＤストリップを備えた照明装置と、ＬＥＤストリップに電気的に接続されるとともに、電源に接続された導電性要素と協働するためのばね荷重を加えられた接点を有する集電器とを含む。集電器はハウジングを有し、ハウジングの内部に上記のばね荷重を加えられた接点が移動可能に配置される。ばね荷重を加えられた接点がハウジングを越えて伸展する時に、ばね荷重を加えられた接点は上記の導電性要素と電気的な接触が可能である。導電性要素は、前記引き出しが相対的に動くことができる家具の構成要素の構造物に取り付けられる。本発明は、照明の作動によって、構成物の機能を増大させる。
2016501563.tif 000002
【特許請求の範囲】
【請求項１】
４つの側壁と、底面と、照明装置とを備えた引き出しであって、前記照明装置は、
前記引き出しの少なくとも１つの前記側壁に取り付けられた光源と、
前記光源に電気的に接続されるとともに、電源に接続された導電性要素と協働するためのばね荷重を加えられた接点を有する集電器と、
を含み、前記集電器はハウジングを有し、該ハウジングの内部に前記ばね荷重を加えられた接点が移動可能に配置され、前記ばね荷重を加えられた接点が前記ハウジングを越えて伸展する時に、前記ばね荷重を加えられた接点は前記導電性要素と電気的な接触が可能であり、前記導電性要素は、前記引き出しが相対的に動くことができる家具の構成要素の構造物に取り付けられ、前記集電器の前記ハウジングからの前記ばね荷重を加えられた接点の伸展は、前記集電器の前記ハウジングにおいて前記ばね荷重を加えられた接点と構造的に連結された少なくとも１つの磁性要素と、前記導電性要素に取り付けられた所定寸法の少なくとも１つの金属又は磁性要素との間で協働時に生じる磁力によってもたらされ、それによって前記引き出しが取り付けられる前記家具の構成要素の構成物に対して前記引き出しが相対的に動いた時に、前記集電器の前記ばね荷重を加えられた接点が、所定の長さを有する前記導電性要素と接触する位置になるようにされ、または前記集電器の前記ハウジングからの前記ばね荷重を加えられた接点の伸展は、ばねの機械的作用のみによってもたらされ、それによって前記引き出しが取り付けられる前記家具の構成要素の構成物に対して前記引き出しが相対的に動いた時に、前記集電器の前記ばね荷重を加えられた接点が、所定の長さを有する前記導電性要素と接触する位置になるようにされることを特徴とする引き出し。
【請求項２】
前記光源は、所定長さのＬＥＤストリップであることを特徴とする請求項１に記載の引き出し。
【請求項３】
前記導電性要素は、変圧器を介して送電線に接続されることを特徴とする請求項１に記載の引き出し。
【請求項４】
前記引き出しの１つの前記側壁は、前記光源が取り付けられる溝を内側に備えた中実の壁の形態であることを特徴とする請求項１に記載の引き出し。
【請求項５】
前記引き出しの１つの前記側壁は、金属形態、特にアルミニウムであることを特徴とする請求項１に記載の引き出し。
【請求項６】
前記側壁は、前記引き出しの前記底面が挿入される１つの溝を備えた壁の形態であることを特徴とする請求項１に記載の引き出し。
【請求項７】
前記集電器の前記磁性要素と協働するための前記金属又は磁性要素は、前記導電性要素の一部であることを特徴とする請求項１に記載の引き出し。
【請求項８】
前記導電性要素は、前記集電器の前記磁性要素と協働する前記金属又は磁性要素から絶縁されることを特徴とする請求項１に記載の引き出し。
【請求項９】
前記導電性要素は、前記ばね荷重を加えられた接点との接触を排除するための絶縁体の領域を含むことを特徴とする請求項１に記載の引き出し。
【請求項１０】
前記導電性要素は平板の形状であることを特徴とする請求項１に記載の引き出し。
【請求項１１】
引き出しの照明装置であって、該照明装置は、
前記引き出しの少なくとも１つの側壁に取り付けられた光源と、
前記光源に電気的に接続されるとともに、電源に接続された導電性要素と協働するためのばね荷重を加えられた接点を有する集電器と、
を含み、前記集電器はハウジングを有し、該ハウジングの内部に前記ばね荷重を加えられた接点が移動可能に配置され、前記ばね荷重を加えられた接点が前記ハウジングを越えて伸展する時に、前記ばね荷重を加えられた接点は前記導電性要素と電気的な接触が可能であり、前記導電性要素は、前記引き出しが相対的に動くことができる家具の構成要素の構造物に取り付けられ、前記集電器の前記ハウジングからの前記ばね荷重を加えられた接点の伸展は、前記集電器の前記ハウジングにおいて前記ばね荷重を加えられた接点と構造的に連結された少なくとも１つの磁性要素と、前記導電性要素に取り付けられた所定寸法の少なくとも１つの金属又は磁性要素との間で協働時に生じる磁力によってもたらされ、それによって前記引き出しが取り付けられる前記家具の構成要素の構成物に対して前記引き出しが相対的に動いた時に、前記集電器の前記ばね荷重を加えられた接点が前記導電性要素と接触する位置になるようにされ、または前記集電器の前記ハウジングからの前記ばね荷重を加えられた接点の伸展は、ばねの機械的作用のみによってもたらされ、それによって前記引き出しが取り付けられる前記家具の構成要素の構成物に対して前記引き出しが相対的に動いた時に、前記集電器の前記ばね荷重を加えられた接点が、所定の長さを有する前記導電性要素と接触する位置になるようにされることを特徴とする照明装置。
【請求項１２】
前記光源は、所定長さのＬＥＤストリップであることを特徴とする請求項１１に記載の照明装置。
【請求項１３】
前記集電器の前記磁性要素と協働するための前記金属又は磁性要素は、前記導電性要素の一部であることを特徴とする請求項１１に記載の照明装置。
【請求項１４】
前記導電性要素は、前記集電器の前記磁性要素と協働する前記金属又は磁性要素から絶縁されることを特徴とする請求項１１に記載の照明装置。
【請求項１５】
引き出しの照明装置用の集電器であって、該集電器はハウジングを有し、該ハウジングは、光源に電気的に接続するための接点と、電源に接続されている別に配置された導電性要素と協働するためのばね荷重を加えられた接点とを含み、該ばね荷重を加えられた接点は、前記ハウジングを越えて伸展する時に前記導電性要素と電気的に接触するようにして前記ハウジング内部に移動可能に配置され、前記導電性要素は、前記引き出しが相対的に動くことができる家具の構成要素の構造物に取り付けられ、前記集電器の前記ハウジングからの前記ばね荷重を加えられた接点の伸展は、前記集電器の前記ハウジングにおいて前記ばね荷重を加えられた接点と構造的に連結された少なくとも１つの磁性要素と、前記導電性要素に取り付けられた所定寸法の少なくとも１つの金属要素との間で協働時に生じる磁力によってもたらされ、それによって前記引き出しが取り付けられる前記家具の構成要素の構成物に対して前記引き出しが相対的に動いた時に、前記集電器の前記ばね荷重を加えられた接点が前記導電性要素と接触する位置になるようにされ、または前記集電器の前記ハウジングからの前記ばね荷重を加えられた接点の伸展は、ばねの機械的作用のみによってもたらされ、それによって前記引き出しが取り付けられる前記家具の構成要素の構成物に対して前記引き出しが相対的に動いた時に、前記集電器の前記ばね荷重を加えられた接点が、所定の長さを有する前記導電性要素と接触する位置になるようにされることを特徴とする集電器。
【請求項１６】
前記光源はＬＥＤストリップであることを特徴とする請求項１５に記載の集電器。
【請求項１７】
前記ばね荷重を加えられた接点は、磁性要素の機能を備えることを特徴とする請求項１５に記載の集電器。
【請求項１８】
前記磁性要素は、本質的には、前記ばね荷重を加えられた接点と同じ構成ユニットに取り付けられた磁石であることを特徴とする請求項１５に記載の集電器。
【請求項１９】
前記集電器は、組立式のハウジングを有することを特徴とする請求項１５に記載の集電器。
【請求項２０】
前記集電器は、前記引き出しに取り付ける手段を含むことを特徴とする請求項１５に記載の集電器。
【請求項２１】
前記ばね荷重を加えられた接点は、引き出される部分の長さの調節を提供することを特徴とする請求項１５に記載の集電器。
【請求項２２】
前記ばね荷重を加えられた接点は、前記伸展を所定の長さに抑制する装置を備えた前記ハウジングを有することを特徴とする請求項１５に記載の集電器。
【請求項２３】
底面と、前面パネルと、後壁と、中空である２つの側壁とを含む引き出しであって、ＬＥＤストリップを収容する溝が１つの前記側壁に作られ、前記ＬＥＤストリップは、配置された可動プラグを備えた集電器の表面の箱に接続される接続部を備え、前記電気プラグの端には少なくとも１つのばね荷重を加えられた磁石があり、該磁石は、前記引き出しが引き出されると、前記電気プラグが複数の金属ストリップの形態である接触部と接触することを可能にし、前記金属ストリップは、互いに絶縁されて家具の側壁に取りつけられ、さらに変圧器を介して送電線に接続されることを特徴とする引き出し。
【発明の詳細な説明】
【技術分野】
【０００１】
本発明は、引き出し、引き出しの照明装置、及び引き出しの照明装置用の集電器に関する。
【０００２】
引き出しは、底面、前面パネル、前面パネルの反対に配置された後壁、及び引き出しの移動方向に延び、後壁の両端部に固定して連結された中空部として実施される２つの側壁を含む。
【背景技術】
【０００３】
特許文献１には、家具の引き出しの既知の構成が開示されており、そこには、底面、前面パネル、前面パネルの反対に配置された中空部として実施される後壁、及び引き出しの移動方向に延び、後壁の両端部に固定して連結された中空部として実施される２つの側壁を含む引き出しが記載されている。その引き出しは、そこに照明を取り付けることが不可能である点において不十分である。
【０００４】
特許文献２にもまた、家具の引き出しの既知の構成が開示されており、そこには、光源を含む引き出しの特徴が記載されている。照明機能を実施するために、適した部分的なストリップが複数の室及び少なくとも２つの側面が開いた室で実施され、そこでは１つの室は引き出しの構成要素を含む結合室として実施され、別の開いた室は光源を収容するために設計されて、１つ以上の光源を収容する。光源を収容する室は、光線が引き出しの中に入るようにして実施される。要素のサイズが極めて小さく、非常に少ない電力を必要とするので、光源として発光ダイオード（ＬＥＤ）が使用されることが好ましい。その光源を保護するために、光源を収容した室は、透明材料で作られたカバーストリップを固定するために設計された少なくとも１つの固定リブを備える。結果として、光源は最適な方法で保護され、さらに内部での最適な照度が提供される。固定リブの使用は、組み立て及び取り外しを簡単にし、例えばねじなどの更なる留め具を必要としない。しかし、この先行技術の方法は、照明付きの引き出しの構成が製造、組み立て及び保守において複雑である点において不十分である。
【先行技術文献】
【特許文献】
【０００５】
【特許文献１】ロシア国特許第２４２４７５４号明細書
【特許文献１】ロシア国特許第２４０２２５２号明細書
【発明の概要】
【発明が解決しようとする課題】
【０００６】
本発明は、取り付け及び保持が容易である、引き出し用の照明装置及び集電器の汎用性の高い構成を創作するという課題に基づく。
【課題を解決するための手段】
【０００７】
この目的は、４つの側壁、底面及び照明装置を備えた引き出しを提供することによって達成される。この場合、照明装置は、引き出しの少なくとも１つの側壁に取り付けられた光源と、光源に電気的に接続された集電器とを含み、集電器は、電源に接続された導電性要素と協働するためのばね荷重を加えられた接点を有する。集電器はハウジングを有し、その内部に上記のばね荷重を加えられた接点が移動可能に配置される。ばね荷重を加えられた接点は、ハウジングを越えて伸展する時に、引き出しが相対的に動くことができる家具の構成要素の構造物に取り付けられた上記の導電性要素と電気的な接触が可能である。集電器のハウジングからのばね荷重を加えられた接点の伸展について、２つの選択的な構造の検討がある。第１の形態によれば、ばね荷重を加えられた接点の伸展は、集電器のハウジングにおいてばね荷重を加えられた接点と構造的に連結された少なくとも１つの磁性要素と、導電性要素に取り付けられた所定寸法の少なくとも１つの金属又は磁性要素との間で協働時に生じる磁力によってもたらされ、それによって引き出しが取り付けられる家具の構成要素の構成物に対して引き出しが相対的に動いた時に、集電器のばね荷重を加えられた接点が、所定の長さを有する導電性要素と接触する位置になるようにされる。第２の選択的な構造の検討によれば、それは最も簡単であり、集電器のハウジングからのばね荷重を加えられた接点の伸展は、ばねの機械的作用のみによってもたらされ、それによって引き出しが取り付けられる家具の構成要素の構成物に対して引き出しが相対的に動いた時に、集電器のばね荷重を加えられた接点が、所定の長さを有する導電性要素と接触する位置になるようにされる。この場合、ばね荷重を加えられた接点は、ばねの機械的作用によって常に集電器のハウジングから伸展される。しかし、この場合、ばねは最終的に弱くなって交換を必要とする。磁石では、構造物は最も長い寿命を有する。
【０００８】
光源は、所定長さのＬＥＤストリップであることが好ましい。
【０００９】
導電性要素は、通常は変圧器を介して電源（送電線）に接続される。
【００１０】
引き出しの１つの側壁は、光源が取り付けられる溝を内側に備えた中実の壁の形態にされることができる。この場合、その引き出しの側壁は、金属形態、特に軽い構造物及び引き出しの容易な製造のためにアルミニウムにされることが好ましい。通常は、側壁は、引き出しの底面が挿入される１つの溝を備えた形態にされる。
【００１１】
集電器の磁石と協働するための金属又は磁性要素は、導電性要素の一部とされることが好ましい。具体的には、導電性要素自体が集電器の磁石と協働するための金属又は磁性要素として機能するか、又はそのような要素上に広がることができる。
【００１２】
導電性要素は、集電器の磁石と協働する金属又は磁性要素から絶縁されることができる。
【００１３】
導電性要素は、ばね荷重を加えられた接点との接触を排除する絶縁体の領域を含むことができる。
【００１４】
導電性要素は、平板の形状であることが好ましい。
【００１５】
別の本発明の特徴は、引き出しの少なくとも１つの側壁に取り付けられた光源と、光源に電気的に接続された集電器とを含み、集電器が、電源に接続された導電性要素と協働するためのばね荷重を加えられた接点を有する照明装置である。この場合、集電器はハウジングを有し、その内部に上記のばね荷重を加えられた接点が移動可能に配置される。ばね荷重を加えられた接点は、ハウジングを越えて伸展する時に、引き出しが相対的に動くことができる家具の構成要素の構造物に取り付けられた上記の導電性要素と電気的な接触が可能である。集電器のハウジングからのばね荷重を加えられた接点の伸展は、集電器のハウジングにおいてばね荷重を加えられた接点と構造的に連結された少なくとも１つの磁性要素と、導電性要素に取り付けられた所定寸法の少なくとも１つの金属又は磁性要素との間で協働時に生じる磁力によってもたらされ、それによって引き出しが取り付けられる家具の構成要素の構成物に対して引き出しが相対的に動いた時に、集電器のばね荷重を加えられた接点が導電性要素と接触する位置になるようにされる。または、集電器のハウジングからのばね荷重を加えられた接点の伸展は、磁石を使用せずに、つまり集電器のハウジングにおいて磁石無しに、すなわちばねの機械的作用のみによってもたらされ、それによって引き出しが取り付けられる家具の構成要素の構成物に対して引き出しが相対的に動いた時に、集電器のばね荷重を加えられた接点が、所定の長さを有する導電性要素と接触する位置になるようにされる。
【００１６】
通常は、光源は所定長さのＬＥＤストリップである。
【００１７】
集電器の磁石と協働するための金属又は磁性要素は、導電性要素の一部として製造されることができる。導電性要素は、集電器の磁石と協働する金属又は磁性要素から絶縁されることができる。
【００１８】
最も大きな関心は、引き出しの照明装置の取り付けのための集電器の創作的な構造である。集電器は、光源に電気的に接続するための接点と、電源に接続されている別に配置された導電性要素と協働するためのばね荷重を加えられた接点とを含むハウジングで実施される。この場合、ばね荷重を加えられた接点は、ハウジングを越えて伸展する時に導電性要素と電気的に接触するようにしてハウジング内部に移動可能に配置され、導電性要素は、引き出しが相対的に動くことができる家具の構成要素の構造物に取り付けられる。上述されたように、集電器のハウジングからのばね荷重を加えられた接点の伸展は、集電器のハウジングにおいてばね荷重を加えられた接点と構造的に連結された少なくとも１つの磁性要素と、導電性要素に取り付けられた所定寸法の少なくとも１つの金属要素との間で協働時に生じる磁力によってもたらされ、それによって引き出しが取り付けられる家具の構成要素の構成物に対して引き出しが相対的に動いた時に、集電器のばね荷重を加えられた接点が導電性要素と接触する位置になるようにされる。あるいは、集電器のハウジングからのばね荷重を加えられた接点の伸展は、磁石なしに、ばねの機械的作用のみによってもたらされ、それによって引き出しが取り付けられる家具の構成要素の構成物に対して引き出しが相対的に動いた時に、集電器のばね荷重を加えられた接点が、所定の長さを有する導電性要素と接触する位置になるようにされる。
【００１９】
ＬＥＤストリップが、光源として用いられることができる。ばね荷重を加えられた接点は、磁性要素の機能を備えることができる。または、磁性要素は、その接点の一部にされることができる。
【００２０】
磁性要素は、本質的には、ばね荷重を加えられた接点と同じ構成ユニットに取り付けられる磁石であり得る。
【００２１】
集電器は、引き出しに取り付ける手段を含む組立式のハウジングを有することが好ましい。
【００２２】
通常は、ばね荷重を加えられた接点は、引き出される部分の長さの調節を提供する。例えば、ばね荷重を加えられた接点は、伸展を所定の長さに抑制する装置を備えたハウジングにおいて実施されることができる。
【００２３】
本発明の技術的解決法の基本的な相違点及び利点は、次のとおりである。
−引き出しの照明要素（ＬＥＤストリップ）及び装飾挿入物が取り付けられることができる予め作られた溝を備えたアルミニウム部品を使用することができる。
−照明装置の構造は、迅速かつ簡単な取り付け及び簡単な保守を確保する。
−正面及び側壁の両方のＬＥＤベースの照明の有用性。追加の集電器なしで、引き出しの内側及び外側の両方で、引き出しの全周囲に沿って照明設備を取り付ける選択肢がある。
−集電器は、照明装置において無線接続を有し、さらに導電性要素に対してレール上において洋服だんすで引き出しを正しい位置にする自己調節を提供する。
−台所戸棚、洋服だんす、ラボラトリーキャビネット及びファイルキャビネットなどの、あらゆる引き出し装置のための集電器を備えた照明装置の創作的な構造での多目的用途。
−本発明の集電器の適用に関して、引き出しの構造又は形状について制限がない。
−引き出しの装飾挿入物及び照明要素を収容する溝を備えた領域の適用は、引き出しの高い美的特性の達成並びに薄暗い及び暗い部屋での引き出しの使用の実現性に役立つ。
−溝領域の簡単な構造の適用は、物品の原価を低減し、それにより引き出しの最終的な価格を低減する。
−引き出しの要素の簡単だが創作的な構造は、引き出しの迅速かつ容易な取り付けを確保する。
【００２４】
引き出しの重量を最小限にするとともに美的特徴を促進するために、その要素（部分品）はアルミニウムで作られることが好ましい。引き出しの底面は、いずれの材料及びいずれの厚さでも作られることができ、厚さは特に４、８、１０、１６ｍｍで作られることができる。引き出しの側壁は、ＭＤＦボード（中質繊維板）、ガラス、プラスチック、及び家具業界において用いられる他の材料から作られる要素を含むことができる。
【００２５】
引き出しにおいて底面をしっかりと固定するために、相互に接続される２つの側壁及び後壁は、引き出しの底面が挿入される単一の溝を有することが好ましい。
【００２６】
あるいは、本発明の引き出しは、底面、前面パネル、前面パネルの反対に配置された好ましくは中空部にされる後壁、及び引き出しの移動方向に延び、後壁の両端部に固定して連結された、やはり好ましくは中空部にされる２つの側壁を含む。
【００２７】
この場合、例えば後壁に配置された可動プラグ（集電器）を備えた表面の箱に接続される接続部を備えたＬＥＤストリップを収容するために、溝が１つの側壁に作られる。電気プラグの端（集電器の接点）には、少なくとも１つのばね荷重を加えられた磁石があり、それは引き出しが引き出される際に、電気プラグ（集電器の接点）が、互いに絶縁されて家具の側壁に取りつけられた、送電線に接続された複数の金属（鋼又は銅）ストリップの形態である接触部と接触することを可能にする。
【００２８】
送電線への接続は、１２Ｖの変圧器を介すことが好ましい。
【００２９】
ＬＥＤストリップを収容する溝は、引き出しの内側及び外側の両方で実施されることができる。ＬＥＤストリップを収容する溝は、例えば弾性の係止部の補助又は接着剤の補助によって溝に固定される透明又は半透明の挿入物で覆われることもまた好ましい。
【００３０】
本発明の技術的解決法の本質は、次の図面によって説明される。
【図面の簡単な説明】
【００３１】
【図１】引き出しのアルミニウム部品の特定の実施形態である。
【図２】断面図である。
【図３】集電器のハウジングである。
【図４】導電性要素と磁石の使用とを伴う集電器の構造の具体例である。
【図５】導電性要素と磁石の使用とを伴う集電器の構造の具体例である。
【図６】導電性要素を伴うが磁石を使用しない集電器の構造の具体例である。
【発明を実施するための形態】
【００３２】
本発明の照明の付いた引き出しの実施形態は、次のとおりである。
【００３３】
引き出しの後壁及び側壁は、アルミニウム部品から作られる。一方で、引き出しの底面及び前面は、家具製作において用いられるいかなる材料からも作られることができる。側部は、引き出しを引き出すことを可能にする一体的に取り付けられた部品又は取り付け可能な部品を備えて、例えばローラーを使用して作られる。側部にはＬＥＤストリップを収容する溝が用意されることができ、ＬＥＤストリップは引き出しの後壁に配置される集電器に接続される接点を一端に備える。集電器の実施形態としては、蓋（２）及び孔（３）を有したハウジング（１）を備え、ばね（５）によってばね荷重を加えられた接点（４）を外に引き出す。ばね荷重を加えられた接点（４）は、磁性要素（例えば、磁性ロッド）又は共通の基礎に別々に取り付けられた磁性要素にすることができる。ばね（５）は、非磁性材料にすることができる。磁石を用いない他の検討される構造が図４に示される。誘電絶縁体材料の層（８）が、導電性要素の端に付けられることが好ましい。
【００３４】
引き出しが引き出されると、ばね荷重を加えられた接点（４）は、磁場の作用によりばね（５）を圧縮して孔（３）を通ってハウジング（１）から伸展し、引き出しが相対的に移動する家具（キャビネット、引き出し設備など）の側壁に取り付けられた金属（鋼又は銅）ストリップである導電性要素（６）と接触する。接触は、引き出しを閉じた位置から所定長さを引き出して、磁石が、磁気的接着及びばねの圧縮によりばね荷重を加えられた接点の伸展を引き起こす、所定距離にある金属又は磁性を帯びたストリップ（７）と接触する際にのみ起こる。導電性要素（６）は、電気的な連結を排除するためにストリップ（７）から絶縁される。この目的のために、誘電特性を備えた接着剤が用いられるか、又はストリップ（７）は、導電性要素（６）が配置される場所に誘電体コーティングを有することができる。
【００３５】
それぞれの金属ストリップは、集電器の一端に対応しており、そこで金属ストリップは互いに電気的に絶縁され、さらにストリップ（７）として機能することもできる。照明は、引き出しが完全に閉じられて集電器のハウジングが導電性要素（６）と接触していない、磁場の除去によりばね荷重を加えられた接点が切断した際、すなわち磁性要素とそれぞれの金属又は磁性要素との間での接触がない時にのみ消える。それぞれ、引き出しの照明の作動のためには、ばね荷重を加えられた接点は、引き出しを閉じた際に集電器のハウジング内に入り、そして引き出しを開けた際にそこから出て導電性要素と接触することが、必要かつ十分な事項である。
【符号の説明】
【００３６】
１      ハウジング
２      蓋
３      孔
４      ばね荷重を加えられた接点
５      ばね
６      導電性要素
７      金属又は磁性を帯びたストリップ
８      誘電絶縁体材料の層
【図１】
2016501563.tif 000003
【図２】
2016501563.tif 000004
【図３】
2016501563.tif 000005
【図４】
2016501563.tif 000006
【図５】
2016501563.tif 000007
【図６】
2016501563.tif 000008
【国際調査報告】
2016501563.tif 000009
2016501563.tif 000010